【手続補正書】
【提出日】令和2年3月27日(2020.3.27)
【手続補正１】
【補正対象書類名】特許請求の範囲
【補正対象項目名】全文
【補正方法】変更
【補正の内容】
【特許請求の範囲】
【請求項１】
インクを吐出するための複数の吐出口がそれぞれ所定方向に配列された複数の吐出口列を有し、前記複数の吐出口列が前記所定方向と交差する交差方向に並んで配置された記録ヘッドと、
記録される画像の各画素に対するインクの吐出あるいは非吐出を示す画像データと、当該画像の属性を示す属性情報と、を取得する取得手段と、
前記属性情報に基づいて前記画像データを複数の吐出口列に分配することにより、複数の吐出口列それぞれに対応する記録データを生成する生成手段と、
前記記録データにしたがって前記複数の吐出口列からインクを吐出するように記録動作を制御する制御手段と、
を有する記録装置であって、
前記複数の吐出口列は、
各吐出口が第１の距離ごとに配列された第１の吐出口列と、
前記第１の吐出口列に配列する複数の吐出口に対して前記所定方向において前記第１の距離よりも小さい第２の距離ずれて、各吐出口が前記第１の距離ごとに配列された第２の吐出口列と、
を少なくとも含み、
前記属性情報が第１の属性を示す場合に前記生成手段により生成される前記記録データにおける前記第１の吐出口列の記録比率と前記第２の吐出口列の記録比率の差分は、前記属性情報が前記第１の属性とは異なる第２の属性を示す場合に前記生成手段により生成される前記記録データにおける前記第１の吐出口列の記録比率と前記第２の吐出口列の記録比率の差分よりも大きいことを特徴とする記録装置。
【請求項２】
前記属性情報が前記第２の属性を示す場合に前記生成手段により生成される前記記録データにおいて、前記第１の吐出口列の記録比率と前記第２の吐出口列の記録比率は実質的に等しいことを特徴とする請求項１に記載の記録装置。
【請求項３】
前記属性情報が前記第１の属性を示す場合に前記生成手段により生成される前記記録データにおいて、前記第２の吐出口列の記録比率は実質的に０％であることを特徴とする請求項１または２に記載の記録装置。
【請求項４】
前記属性情報が前記第１の属性を示す場合に前記生成手段により生成される前記記録データにおいて、（ｉ）所定のタイミングまでは前記第２の吐出口列の記録比率は実質的に０％であり、（ｉｉ）前記所定のタイミングからは前記第１の吐出口列の記録比率は実質的に０％であることを特徴とする請求項３に記載の記録装置。
【請求項５】
前記所定のタイミングは、記録するページが切り替わるタイミングであることを特徴とする請求項４に記載の記録装置。
【請求項６】
前記複数の吐出口列は、
前記第１の吐出口列に配列する複数の吐出口に対して前記所定方向において前記第１の距離よりも小さく且つ前記第２の距離よりも大きい第３の距離ずれて、各吐出口が前記第１の距離ごとに配列された第３の吐出口列と、
前記第１の吐出口列に配列する複数の吐出口に対して前記所定方向において前記第１の距離よりも小さく且つ前記第３の距離よりも大きい第４の距離ずれて、各吐出口が前記第１の距離ごとに配列された第４の吐出口列と、
を更に含み、
前記記録ヘッドは、前記所定方向において、前記第１の吐出口列の吐出口、前記第２の吐出口列の吐出口、前記第３の吐出口列の吐出口、前記第４の吐出口列の吐出口の順番で繰り返し並ぶように、前記複数の吐出口列が配置され、
（ｉ）前記属性情報が前記第２の属性を示す場合に前記生成手段により生成される前記記録データにおいて、前記第１の吐出口列、前記第２の吐出口列、前記第３の吐出口列、前記第４の吐出口列それぞれの記録比率は実質的に等しく、且つ、（ｉｉ）前記属性情報が前記第１の属性を示す場合に前記生成手段により生成される前記記録データにおいて、前記第２の吐出口列及び前記第４の吐出口列それぞれの記録比率は実質的に０％であることを特徴とする請求項１から５のいずれか１項に記載の記録装置。
【請求項７】
前記取得手段は、（ｉ）前記画像がイメージ画像である場合もしくは非エッジ部に対応する場合、前記第２の属性を当該画像の属性として取得し、（ｉｉ）前記画像が細線画像である場合、文字画像である場合、もしくはエッジ部に対応する場合、前記第１の属性を当該画像の属性として取得することを特徴とする請求項１から６のいずれか１項に記載の記録装置。
【請求項８】
前記記録データにおいて吐出不良が生じている不良吐出口からの吐出を示すデータが含まれる場合、前記複数の吐出口列のうちの当該不良吐出口が含まれる吐出口列とは異なる吐出口列に含まれる吐出口であって、当該不良吐出口と前記所定方向に対応する位置の吐出口を補完吐出口として、当該不良吐出口からの吐出を示すデータの補完記録を行うように、補完吐出口を決定する補完手段を更に有し、
前記補完手段は、前記不良吐出口が前記第１の吐出口列に含まれる場合、（ｉ）前記属性情報が前記第２の属性を示す場合は、前記第２の吐出口列内の吐出口を補完吐出口として決定することが可能か否かを判定し、（ｉｉ）前記属性情報が前記第１の属性を示す場合は、前記第２の吐出口列内の吐出口を補完吐出口として決定しないことを特徴とする請求項１から７のいずれか１項に記載の記録装置。
【請求項９】
前記画像データは、各画素に対するインクの吐出または非吐出を定める１ｂｉｔの情報と、各画素における属性を示す１ｂｉｔの情報と、から構成されることを特徴とする請求項１から８のいずれか１項に記載の記録装置。
【請求項１０】
前記第２の距離は、前記記録データの前記所定方向の解像度に対応する隣接する２画素の距離よりも小さいことを特徴とする請求項１から９のいずれか１項に記載の記録装置。
【請求項１１】
インクを吐出するための複数の吐出口がそれぞれ所定方向に配列された複数の吐出口列を有し、前記複数の吐出口列が前記所定方向と交差する交差方向に並んで配置された記録ヘッドを用いて記録を行う記録方法であって、
記録される画像の各画素に対するインクの吐出あるいは非吐出を示す画像データと、当該画像の属性を示す属性情報と、を取得する取得工程と、
前記属性情報に基づいて前記画像データを複数の吐出口列に分配することにより、複数の吐出口列それぞれに対応する記録データを生成する生成工程と、
前記記録データにしたがって前記複数の吐出口列からインクを吐出するように記録動作を制御する制御工程と、
を有し、
前記複数の吐出口列は、
各吐出口が第１の距離ごとに配列された第１の吐出口列と、
前記第１の吐出口列に配列する複数の吐出口に対して前記所定方向において前記第１の距離よりも小さい第２の距離ずれて、各吐出口が前記第１の距離ごとに配列された第２の吐出口列と、
を少なくとも含み、
前記属性情報が第１の属性を示す場合に前記生成工程において生成される前記記録データにおける前記第１の吐出口列の記録比率と前記第２の吐出口列の記録比率の差分が、前記属性情報が前記第１の属性とは異なる第２の属性を示す場合に前記生成工程において生成される前記記録データにおける前記第１の吐出口列の記録比率と前記第２の吐出口列の記録比率の差分よりも大きいことを特徴とする記録方法。
【手続補正２】
【補正対象書類名】明細書
【補正対象項目名】００１１
【補正方法】変更
【補正の内容】
【００１１】
そこで、本発明は、インクを吐出するための複数の吐出口がそれぞれ所定方向に配列された複数の吐出口列を有し、前記複数の吐出口列が前記所定方向と交差する交差方向に並んで配置された記録ヘッドと、記録される画像の各画素に対するインクの吐出あるいは非吐出を示す画像データと、当該画像の属性を示す属性情報と、を取得する取得手段と、前記属性情報に基づいて前記画像データを複数の吐出口列に分配することにより、複数の吐出口列それぞれに対応する記録データを生成する生成手段と、前記記録データにしたがって前記複数の吐出口列からインクを吐出するように記録動作を制御する制御手段と、を有する記録装置であって、前記複数の吐出口列は、各吐出口が第１の距離ごとに配列された第１の吐出口列と、前記第１の吐出口列に配列する複数の吐出口に対して前記所定方向において前記第１の距離よりも小さい第２の距離ずれて、各吐出口が前記第１の距離ごとに配列された第２の吐出口列と、を少なくとも含み、前記属性情報が第１の属性を示す場合に前記生成手段により生成される前記記録データにおける前記第１の吐出口列の記録比率と前記第２の吐出口列の記録比率の差分は、前記属性情報が前記第１の属性とは異なる第２の属性を示す場合に前記生成手段により生成される前記記録データにおける前記第１の吐出口列の記録比率と前記第２の吐出口列の記録比率の差分よりも大きいことを特徴とする。